(57)【要約】      （修正有）【課題】誰でも容易に石膏足型を作成し、それを基にサイズの合ったオリジナル性ある靴を発注することが可能な足型採取キッドを提供する。【解決手段】足型採取キッドであって、上方に足Ｌを挿入するための開口を有する枠体１と、該枠体１に足Ｌを挿入した状態で流し込む印象材４を生成する印象材原料３と、前記印象材４が固化した状態で足Ｌを引き抜いてできる足型スペース１０に流し込む石膏６を生成する石膏原料５と、から構成されている。【選択図】図２
0003161045.tif 000002
【実用新案登録請求の範囲】
【請求項１】
上方に足を挿入するための開口を有する枠体と、該枠体に足を挿入した状態で流し込む印象材を生成する印象材原料と、前記印象材が固化した状態で足を引き抜いてできる足型スペースに流し込む石膏を生成する石膏原料と、から成ることを特徴とする足型採取キッド。
【請求項２】
前記足型採取キッドにおいて、枠体の内底面に、網状の発泡樹脂製下敷きが備えられていることを特徴とする請求項１に記載の足型採取キッド。
【請求項３】
前記足型採取キッドにおいて、前記足型スペースに流し込まれた石膏の上面から突出するように埋め込まれるためのボルトが備えられていることを特徴とする請求項１又は請求項２に記載の足型採取キッド。
【考案の詳細な説明】
【技術分野】
【０００１】
本考案は、足型を採取するためのキッドに関し、詳しくは、自身の足に合った靴を作成するための石膏足型を自ら作成するためのキッドに関するものである。
【背景技術】
【０００２】
靴を購入する際、靴屋で市販されている多種多様な靴の中から、デザインやサイズを考慮しつつ、自分に合った靴を選択して購入するのが一般的である。かかる市販の靴の購入においては、オリジナル性のある靴を選択することができず、また、自分の足に完全に合ったサイズの靴を選択することはできなかった。
【０００３】
ところで、オリジナル性のある靴やサイズの合った靴を作成する場合には、オーダーメイドで靴を作成する専門店に行き、足型を採取して靴の種類とデザインを決定することで作成する方法がある。この方法によると、専門店に出向いて行く必要があるだけでなく、コスト的にも大変高価であって、一般的に普及していないのが現状である。
【０００４】
【特許文献１】実公昭５９−２３５１３号公報
【考案の開示】
【考案が解決しようとする課題】
【０００５】
そこで、本考案は、上記事情に鑑みてなされたものであり、誰でも容易に石膏足型を作成し、それを基にサイズの合ったオリジナル性ある靴を発注することが可能な足型採取キッドを提供することを課題としている。
【課題を解決するための手段】
【０００６】
このような課題を解決するために、本考案の請求項１に係る足型採取キッドは、上方に足を挿入するための開口を有する枠体と、該枠体に足を挿入した状態で流し込む印象材を生成する印象材原料と、前記印象材が固化した状態で足を引き抜いてできる足型スペースに流し込む石膏を生成する石膏原料と、から構成されている。
【０００７】
また、本考案の請求項２に係る足型採取キッドは、枠体の内底面に、網状の発泡樹脂製下敷きが備えられている構成を採っている。
【０００８】
さらに、本考案の請求項３に係る足型採取キッドは、前記足型スペースに流し込まれた石膏の上面から突出するように埋め込まれるためのボルトが備えられている構成を採用する。
【考案の効果】
【０００９】
本考案に係る足型採取キッドによれば、誰でも容易に自分の石膏足型を作成することができ、それを基にサイズの合ったオリジナル性ある靴を発注することが可能となる。
【考案を実施するための最良の形態】
【００１０】
本考案は、自分の石膏足型Ｈを自ら容易に作成可能としたことを最大の特徴とするものである。以下、本考案に係る足型採取キッドの実施形態について、図面を参照しながら詳細に説明する。
【００１１】
なお、本考案にかかる足型採取キッドは、以下に述べる実施形態や図示した構造に限定されるものではなく、本考案の趣旨・構成に逸脱しない範囲で適宜変更することができるものである。
【００１２】
図１は、本考案に係る足型採取キッドの実施形態を示す構成図である。すなわち、本考案に係る足型採取キッドは、枠体１と、印象材原料２と、石膏原料５と、から構成される。
【００１３】
枠体１は、足Ｌの裏が載置可能な大きさを有する底面１ａと、足Ｌの外周を囲うことが可能な側壁１ｂと、から構成され、上方には足Ｌを挿入するための開口１ｃを有している。
【００１４】
かかる枠体１の材質については、特に限定するものではないが、例えば段ボール製や木製、金属製やプラスチックその他の合成樹脂製等が考え得る。
【００１５】
印象材原料３は、袋体２に収容されており、該袋体２から取り出して水Ｗで溶くことで、印象材４が生成される。かかる印象材４の種類としては、世間一般的に型取りとして使用されているものを用いればよく、例えばアルギン酸印象材が考え得る。生成された印象材４は、足Ｌを挿入した状態で枠体１内に流し込まれることとなる。
【００１６】
石膏原料５は、前記印象材原料３同様、袋体２に収容されており、該袋体２から取り出して水Ｗで溶くことで、石膏６が生成される。生成された石膏６は、前記印象材４が固化した状態で足Ｌを引き抜いてできる足型スペース１０に流し込まれることとなる。
【００１７】
以上の構成からなる足型採取キッドにおいて、図面に示すように、前記枠体１の内底面に、網状の発泡樹脂製下敷き７が備えられている構成とすることができる。かかる構成を採用することにより、該発泡樹脂製下敷き７の網状の隙間を介して足Ｌの裏部にまで印象材４がきちんと流れ込むことで、正確な足型を採取することか可能になり、土踏まず部分がきれいに形作ることができる。また、該発泡樹脂製下敷き７を備えることで、印象材４が固化した状態において、スムーズに足Ｌを引き抜くことを可能ならしめることができる。
【００１８】
また、前記足型採取キッドにおいて、その構成要素として、図面に示すように、ボルト８が備えられている構成を採用し得る。該ボルト８は、前記足型スペース１０に流し込まれた石膏６の上面から突出するように埋め込まれる。かかる構成を採用することにより、完成する石膏足型Ｈの持ち運びや扱いが容易となる。すなわち、該ボルト８の上端にナットを螺着して持ち手を形成し、前記足型スペース１０から石膏足型Ｈを引き抜いたり、あるいは、靴の作成者が該持ち手を使って石膏足型Ｈを自在に扱うことを容易にするものである。
【００１９】
以上の通り構成される本考案に係る足型採取キッドについて、以下、石膏足型Ｈを完成させるまでの手順を、図面に沿って説明する。
すなわち、図２は、本考案に係る足型採取キッドの使用例を示す説明図である。
【００２０】
（１）まず水平若しくは水平に近い場所を選んで、その床面等に古新聞紙等を敷いて、その上に本考案に係る枠体１を設置する。
（２）袋体２に入った印象材原料３を水Ｗで溶いて、印象材４を生成する。
（３）生成された印象材４を前記枠体１内に流し込み、枠体１を揺するか側壁１ｂを軽く叩くなどして、流し込まれた印象材４の上面が平らになるようにする。
【００２１】
（４）印象材４が流し込まれた枠体１内に、足Ｌを挿入する。このとき、挿入する足Ｌの皮膚面を濡れタオル等で軽く湿らせておくことで、足Ｌに該印象材４が付着するのを防止することができる。また、挿入する前に、あらかじめ少量の印象材４を足Ｌの指間に塗り込んでおくことで、気泡の発生を防止し、綺麗な足型スペース１０を作成することが可能となる。
（５）印象材４が流し込まれた枠体１内に足Ｌを挿入した状態で、側壁１ｂを軽く叩いたり、足Ｌの裏面を枠体１の内底面に沿わせた状態で該足Ｌを小刻みに動かすなどして、印象材４の上面が平らになるようし、あとは力まずに自然体で印象材４が固化するのを待つ。
（６）印象材４が固化したのを確認し、足Ｌのかかと部分からゆっくりと足Ｌを引き抜く。以上の手順を経て、足型スペース１０が完成する。
【００２２】
（７）袋体２に入った石膏原料５を水Ｗで溶いて、石膏６を生成する。
（８）生成された石膏６を前記足型スペース１０内に流し込む。このとき、気泡防止のため、最初は少量の石膏６を流し込み、該石膏６が満遍なく前記足型スペース１０全体に行き渡るよう、特に爪先部分に注意をしつつ、枠体１を傾けるなどした後、残りの石膏６を流し込む。
（９）付属のボルト８を、流し込まれた石膏６の上面（足Ｌの足首部分）から突出するように埋め込む。
（１０）石膏６が固化したのを確認し、埋め込まれたボルト８を利用して引き抜く。以上の手順を経て、石膏足型Ｈが完成する。
【００２３】
以上の手順を経ることにより、本考案に係る足型採取キッドを使用した石膏足型Ｈの作成は終了する。なお、かかる石膏足型Ｈは、現状における自らの足のサイズ及び形態を忠実に再現したものであり、この石膏足型Ｈを用いて靴を作成すれば、自分の足Ｌにジャストフィットする靴を得ることが可能となる。
【００２４】
なお、本考案に係る足型採取キッドの利用を図るビジネスモデルとしては、該足型採取キッド一対（左右両足分）とともに靴のデザインカタログをセットにして利用者に提供し、自ら石膏足型Ｈを採取した利用者は、それを基に欲しい靴のデザインをカタログから選択して注文表等に記入し、完成した石膏足型Ｈとともに発送する。
【００２５】
これを受領した専門店メーカー若しくは仲介業者は、送られた石膏足型Ｈ及び注文内容に基づき、靴の発注・製作等を行い、オリジナル靴を完成させる。完成したオリジナル靴は、最終的に元の利用者に配送されることとなる。
【００２６】
なお、上記ビジネスモデルにおいて、利用者が石膏足型Ｈを発送するに際し、該石膏足型Ｈを印象材４中の足型スペース１０から引き抜くことなしに、そのままの状態で枠体１ごと発送する態様が考え得る。かかる態様により、石膏足型Ｈを印象材４で保護しつつ運搬されることで、該石膏足型Ｈの破損を防止することが可能である。
【産業上の利用可能性】
【００２７】
本考案は以上の通りであって、オリジナル性がなく、サイズに左右されながら市販の靴を購入している現状にあって、自身の足のサイズに最も合い、かつ、オリジナル性ある靴を作成するための足型を、自ら容易に作成することが可能であるとともに、それを用いて安価に靴を作成することが可能であって、本考案の産業上の利用可能性は極めて高いものと思量する。
【図面の簡単な説明】
【００２８】
【図１】本考案に係る足型採取キッドの実施形態を示す構成図である。
【図２】本考案に係る足型採取キッドの使用例を示す説明図である。
【符号の説明】
【００２９】
１    枠体
１ａ  底面
１ｂ  側壁
１ｃ  開口
２    袋体
３    印象材原料
４    印象材
５    石膏原料
６    石膏
７    発泡樹脂製下敷き
８    ボルト
１０    足型スペース
Ｈ    石膏足型
Ｌ    足
Ｗ    水
【図１】
0003161045.tif 000003
【図２】
0003161045.tif 000004
【手続補正書】
【提出日】平成22年4月22日(2010.4.22)
【手続補正２】
【補正対象書類名】明細書
【補正対象項目名】０００１
【補正方法】変更
【補正の内容】
【０００１】
本考案は、足型を採取するためのキットに関し、詳しくは、自身の足に合った靴を作成するための石膏足型を自ら作成するためのキットに関するものである。
【手続補正３】
【補正対象書類名】明細書
【補正対象項目名】０００５
【補正方法】変更
【補正の内容】
【０００５】
そこで、本考案は、上記事情に鑑みてなされたものであり、誰でも容易に石膏足型を作成し、それを基にサイズの合ったオリジナル性ある靴を発注することが可能な足型採取キットを提供することを課題としている。
【手続補正４】
【補正対象書類名】明細書
【補正対象項目名】０００６
【補正方法】変更
【補正の内容】
【０００６】
このような課題を解決するために、本考案の請求項１に係る足型採取キットは、上方に足を挿入するための開口を有する枠体と、該枠体に足を挿入した状態で流し込む印象材を生成する印象材原料と、前記印象材が固化した状態で足を引き抜いてできる足型スペースに流し込む石膏を生成する石膏原料と、から構成されている。
【手続補正５】
【補正対象書類名】明細書
【補正対象項目名】０００７
【補正方法】変更
【補正の内容】
【０００７】
また、本考案の請求項２に係る足型採取キットは、枠体の内底面に、網状の発泡樹脂製下敷きが備えられている構成を採っている。
【手続補正６】
【補正対象書類名】明細書
【補正対象項目名】０００８
【補正方法】変更
【補正の内容】
【０００８】
さらに、本考案の請求項３に係る足型採取キットは、前記足型スペースに流し込まれた石膏の上面から突出するように埋め込まれるためのボルトが備えられている構成を採用する。
【手続補正７】
【補正対象書類名】明細書
【補正対象項目名】０００９
【補正方法】変更
【補正の内容】
【０００９】
本考案に係る足型採取キットによれば、誰でも容易に自分の石膏足型を作成することができ、それを基にサイズの合ったオリジナル性ある靴を発注することが可能となる。
【手続補正８】
【補正対象書類名】明細書
【補正対象項目名】００１０
【補正方法】変更
【補正の内容】
【００１０】
本考案は、自分の石膏足型Ｈを自ら容易に作成可能としたことを最大の特徴とするものである。以下、本考案に係る足型採取キットの実施形態について、図面を参照しながら詳細に説明する。
【手続補正９】
【補正対象書類名】明細書
【補正対象項目名】００１１
【補正方法】変更
【補正の内容】
【００１１】
なお、本考案にかかる足型採取キットは、以下に述べる実施形態や図示した構造に限定されるものではなく、本考案の趣旨・構成に逸脱しない範囲で適宜変更することができるものである。
【手続補正１０】
【補正対象書類名】明細書
【補正対象項目名】００１２
【補正方法】変更
【補正の内容】
【００１２】
図１は、本考案に係る足型採取キットの実施形態を示す構成図である。すなわち、本考案に係る足型採取キットは、枠体１と、印象材原料２と、石膏原料５と、から構成される。
【手続補正１１】
【補正対象書類名】明細書
【補正対象項目名】００１７
【補正方法】変更
【補正の内容】
【００１７】
以上の構成からなる足型採取キットにおいて、図面に示すように、前記枠体１の内底面に、網状の発泡樹脂製下敷き７が備えられている構成とすることができる。かかる構成を採用することにより、該発泡樹脂製下敷き７の網状の隙間を介して足Ｌの裏部にまで印象材４がきちんと流れ込むことで、正確な足型を採取することか可能になり、土踏まず部分がきれいに形作ることができる。また、該発泡樹脂製下敷き７を備えることで、印象材４が固化した状態において、スムーズに足Ｌを引き抜くことを可能ならしめることができる。
【手続補正１２】
【補正対象書類名】明細書
【補正対象項目名】００１８
【補正方法】変更
【補正の内容】
【００１８】
また、前記足型採取キットにおいて、その構成要素として、図面に示すように、ボルト８が備えられている構成を採用し得る。該ボルト８は、前記足型スペース１０に流し込まれた石膏６の上面から突出するように埋め込まれる。かかる構成を採用することにより、完成する石膏足型Ｈの持ち運びや扱いが容易となる。すなわち、該ボルト８の上端にナットを螺着して持ち手を形成し、前記足型スペース１０から石膏足型Ｈを引き抜いたり、あるいは、靴の作成者が該持ち手を使って石膏足型Ｈを自在に扱うことを容易にするものである。
【手続補正１３】
【補正対象書類名】明細書
【補正対象項目名】００１９
【補正方法】変更
【補正の内容】
【００１９】
以上の通り構成される本考案に係る足型採取キットについて、以下、石膏足型Ｈを完成させるまでの手順を、図面に沿って説明する。
すなわち、図２は、本考案に係る足型採取キットの使用例を示す説明図である。
【手続補正１４】
【補正対象書類名】明細書
【補正対象項目名】００２３
【補正方法】変更
【補正の内容】
【００２３】
以上の手順を経ることにより、本考案に係る足型採取キットを使用した石膏足型Ｈの作成は終了する。なお、かかる石膏足型Ｈは、現状における自らの足のサイズ及び形態を忠実に再現したものであり、この石膏足型Ｈを用いて靴を作成すれば、自分の足Ｌにジャストフィットする靴を得ることが可能となる。
【手続補正１５】
【補正対象書類名】明細書
【補正対象項目名】００２４
【補正方法】変更
【補正の内容】
【００２４】
なお、本考案に係る足型採取キットの利用を図るビジネスモデルとしては、該足型採取キット一対（左右両足分）とともに靴のデザインカタログをセットにして利用者に提供し、自ら石膏足型Ｈを採取した利用者は、それを基に欲しい靴のデザインをカタログから選択して注文表等に記入し、完成した石膏足型Ｈとともに発送する。
【手続補正１６】
【補正対象書類名】明細書
【補正対象項目名】００２８
【補正方法】変更
【補正の内容】
【００２８】
【図１】本考案に係る足型採取キットの実施形態を示す構成図である。
【図２】本考案に係る足型採取キットの使用例を示す説明図である。
【手続補正１７】
【補正対象書類名】実用新案登録請求の範囲
【補正対象項目名】全文
【補正方法】変更
【補正の内容】
【実用新案登録請求の範囲】
【請求項１】
上方に足を挿入するための開口を有する枠体と、該枠体に足を挿入した状態で流し込む印象材を生成する印象材原料と、前記印象材が固化した状態で足を引き抜いてできる足型スペースに流し込む石膏を生成する石膏原料と、から成ることを特徴とする足型採取キット。
【請求項２】
前記足型採取キットにおいて、枠体の内底面に、網状の発泡樹脂製下敷きが備えられていることを特徴とする請求項１に記載の足型採取キット。
【請求項３】
前記足型採取キットにおいて、前記足型スペースに流し込まれた石膏の上面から突出するように埋め込まれるためのボルトが備えられていることを特徴とする請求項１又は請求項２に記載の足型採取キット。